(57)【要約】【課題】記録再生装置とホストコンピュータとの間で確立された通信プロトコルを用いた接続において、ホストコンピュータから記録再生装置のカメラ機能のコントロール要求があった場合、カメラコントロール用の装置を実装しなくても、その制御を容易に可能とすることを目的とする。【解決手段】本発明の特徴は、記録再生装置にカメラコントロールコマンド変換器、コマンド通信路切換スイッチおよび、コマンド通信路切換スイッチ制御部を実装することにより、カメラコントロールコマンドをＩＥＥＥ１３９４標準規格として定められたＡＶ／Ｃコマンドに変換することによって、メインコントローラにカメラ制御命令であることを通知することができ、ホストコンピュータからのカメラ機能の制御を可能とする。【選択図】図１
2005260648.tif 000002
【特許請求の範囲】
【請求項１】
ホストコンピュータにより各種動作制御がなされる映像信号記録再生装置であって、撮像動作を行う撮像手段と、前記ホストコンピュータからの制御信号を本装置内で動作可能な制御信号に変換する変換手段と、前記変換手段で変換された制御信号に基づき撮像手段の動作を制御する制御手段とを備えたことを特徴とする記録再生装置。
【請求項２】
ホストコンピュータにより各種動作制御がなされる映像信号記録再生装置であって、撮像動作を行う撮像手段と、前記撮像手段で撮像した信号を記録する記録手段と、前記ホストコンピュータからの制御信号を受信する受信手段と、前記受信手段で受信した制御信号を本装置内で動作可能な制御信号に変換する変換手段と、前記受信手段で受信した制御信号が記録手段の動作制御を行う制御信号か撮像手段の動作制御を行う制御信号かを判別するスイッチ制御手段と、前記スイッチ制御手段からの制御により前記受信手段の出力か前記変換手段の出力かの一方を選択する選択手段と、前記選択手段で選択された制御信号に基づき撮像手段の動作を制御する制御手段とを備えたことを特徴とする記録再生装置。
【請求項３】
各種操作命令が可能なホストコンピュータと、前記ホストコンピュータと通信可能な記録再生装置とからなる制御システムであって、
前記記録再生装置は、撮像動作を行う撮像手段と、前記ホストコンピュータからの制御信号を本装置内で動作可能な制御信号に変換する変換手段と、前記変換手段で変換された制御信号に基づき撮像手段の動作を制御する制御手段とを備えたことを特徴とする制御システム。
【発明の詳細な説明】
【技術分野】
【０００１】
本発明は、何らかの通信プロトコルを介して、ホストコンピュータとの接続機能を搭載した記録再生装置に対して、ホストコンピュータから発行されるカメラコントロールコマンドを受信した記録再生装置における内部処理に関するものである。
【背景技術】
【０００２】
近年、ホストコンピュータとの接続機能を搭載し、記録再生装置とホストコンピュータとの間で確立させた通信プロトコルを介して、記録再生装置の撮影映像、および再生映像をホストコンピュータに様々なＭｏｔｉｏｎ−ＪＰＥＧ等の様々な映像フォーマットに変換して転送し、映像および、音声通信を行う機能が実装されている。さらに、記録再生装置の記録媒体における再生や録画等の機能の制御をホストコンピュータから発行されるコントロールコマンドによって、制御が可能となる機能が実装されている。ホストコンピュータによるカメラの制御については、記録メディアと同様の通信路はなく、カメラコントロール用の装置が別に実装されている。
【０００３】
以下に、従来の記録再生装置について説明する。
【０００４】
従来の映像、および音声通信機能や、記録メディアの制御を行う機能が実装された記録再生装置の構成は図４のようになっており、１は記録再生装置全体を示し、２は記録再生装置のホストコンピュータからのコマンド受信部、３は記録再生装置の記録メディア部、４は記録再生装置の動作制御を行うメインコントローラ部、５は記録再生装置のレンズ等の映像取得に関するカメラ部、６はホストコンピュータ、７は記録再生装置１とホストコンピュータ６を接続する通信路を示す。７については、ホストコンピュータ６との通信プロトコルが確立されているという意味において、有線、無線を制限するものではない。
【０００５】
この従来の記録再生装置１の動作は、通信路７が確立された記録再生装置に対して、ホストコンピュータ６から発行されるコントロールコマンドをコマンド受信部２が受信し、そのコマンドの解析を行う。その解析された命令内容をメインコントローラ４で詳細に解釈し、記録メディア３に記録された映像の再生などの操作制御を行うというものである。カメラ部５は記録再生装置１本体の操作をメインコントローラ４が検知し、制御を行うものである。
【特許文献１】特開２００３−１１０９９４号公報
【発明の開示】
【発明が解決しようとする課題】
【０００６】
しかしながら、上記のような従来構成では、ホストコンピュータからカメラ機能の制御を目的としたコントロールコマンドが発行された場合、受信器２での解析内容は、メインコントローラ部４では、解析不可能である。つまり、従来の構成では、カメラコントロール用の装置を実装しない限り、ホストコンピュータから記録再生装置のカメラ機能の制御を行うことができない仕組みとなっている。よって、ホストコンピュータ６における記録再生装置１に対する操作性が良くないといった課題があった。
【０００７】
本発明は上記の従来の問題点を解決するもので、記録再生装置にコマンド変換器、コマンド通信路切換スイッチ、およびそのスイッチ制御部を実装することによりホストコンピュータからのカメラ機能の制御を可能とすることを目的とする。
【課題を解決するための手段】
【０００８】
この目的を達成するために、ホストコンピュータにより各種動作制御がなされる映像信号記録再生装置であって、撮像動作を行う撮像手段と、前記ホストコンピュータからの制御信号を本装置内で動作可能な制御信号に変換する変換手段と、前記変換手段で変換された制御信号に基づき撮像手段の動作を制御する制御手段とを備えたものである。
【０００９】
これによって、ホストコンピュータからのカメラ機能の制御を可能とする。
【発明の効果】
【００１０】
以上のように本発明は、記録再生装置とホストコンピュータとの間に通信プロトコルを確立させることによって接続し、ホストコンピュータから記録再生装置のカメラ機能のコントロールコマンドを受信しても、カメラコントロール装置を実装しない限りカメラ機能の制御が不可能であったという課題を、カメラコントロールコマンド変換器、コマンド通信路変換スイッチおよび、そのコマンド通信路切換スイッチ制御部を新規に実装することにより、解決し、ホストコンピュータからの記録再生装置のカメラ機能の制御を容易に実現可能とした。これにより、操作性の向上を図ることができる。
【００１１】
また、ホストコンピュータからの制御信号を、記録再生装置内にて動作・処理可能な制御に変換する構成を追加するだけで実現できるので、大幅コストアップなしに実現することができる。
【発明を実施するための最良の形態】
【００１２】
本発明の請求項１に記載の発明は、ホストコンピュータにより各種動作制御がなされる映像信号記録再生装置であって、撮像動作を行う撮像手段と、前記ホストコンピュータからの制御信号を本装置内で動作可能な制御信号に変換する変換手段と、前記変換手段で変換された制御信号に基づき撮像手段の動作を制御する制御手段とを備えたものである。。
【００１３】
また請求項２に記載の発明は、ホストコンピュータにより各種動作制御がなされる映像信号記録再生装置であって、撮像動作を行う撮像手段と、前記撮像手段で撮像した信号を記録する記録手段と、前記ホストコンピュータからの制御信号を受信する受信手段と、前記受信手段で受信した制御信号を本装置内で動作可能な制御信号に変換する変換手段と、前記受信手段で受信した制御信号が記録手段の動作制御を行う制御信号か撮像手段の動作制御を行う制御信号かを判別するスイッチ制御手段と、前記スイッチ制御手段からの制御により前記受信手段の出力か前記変換手段の出力かの一方を選択する選択手段と、前記選択手段で選択された制御信号に基づき撮像手段の動作を制御する制御手段とを備えたものである。
【００１４】
また請求項３に記載の発明は、各種操作命令が可能なホストコンピュータと、前記ホストコンピュータと通信可能な記録再生装置とからなる制御システムであって、前記記録再生装置は、撮像動作を行う撮像手段と、前記ホストコンピュータからの制御信号を本装置内で動作可能な制御信号に変換する変換手段と、前記変換手段で変換された制御信号に基づき撮像手段の動作を制御する制御手段とを備えたものである。
【００１５】
以下、本発明の実施の形態について、図面を用いて説明する。
【００１６】
（実施の形態１）
図１は本発明の実施の形態１における記録再生装置の構成を示すブロック図である。
【００１７】
図１において、１は記録再生装置全体を示し、本実施の形態ではビデオカメラを想定したものとなっているが、デジタルスチルカメラなどのように撮像手段を備え被写体像などを撮影し、記録媒体に記録するものであれば構わない。本装置はホストコンピュータ６を除く以下の構成を内包している。
【００１８】
６は例えばパーソナルコンピュータなどからなるホストコンピュータで、少なくとも記録再生装置１との間で所定のプロトコルを用いて通信を行うものであればよい。例えば近年普及しているパーソナルコンピュータでは、デジタル通信手段の一つであるＵＳＢ（ユニバーサル・シリアル・バス）に対応しており、このようなＵＳＢプロトコルを用いて通信することがか可能である。なお、通信手段はＵＳＢに限定されるものではない。
【００１９】
７は記録再生装置１とホストコンピュータ６との間で確立された通信プロトコルの通信路で、例えば記録再生装置１とホストコンピュータ６とがＵＳＢによるプロトコルを用いて通信する場合は、ＵＳＢケーブルに相当する。ＵＳＢ接続に関する具体例については後述する。なお、通信路７は各種ケーブルなどによる有線接続でもよいし、無線接続であっても構わない。図１の構成は有線接続による構成を示し、図２には無線接続による構成を示した。
【００２０】
２は記録再生装置１のホストコンピュータ６からの命令を通信路７を介して受信する受信手段であるコマンド受信部で、通信路７を接続可能な手段も備えている。例えばＵＳＢによる通信を行う場合は、ＵＳＢケーブルを接続可能な端子を備えている。
【００２１】
３は記録再生装置１の記録手段の一部である記録メディアで、記録メディアの種類としては磁気テープや光ディスクやメモリカードなどが考えられるが、本発明ではいずれの記録媒体であっても構わない。本実施の形態ではビデオカメラを想定した説明となっているため、記録メディアとして磁気テープを用いた。なお特に図示していないが、記録メディア３には、装着した記録メディアを動作制御可能な手段も含むとする。例えば記録メディアとして磁気テープを用いる場合は、磁気テープを駆動するメカニズム、磁気テープに対して信号の記録再生を行う磁気ヘッドなども含むとする。
【００２２】
４は記録再生装置１の動作制御を行う制御手段である制御手段であるメインコントローラ部で、本実施の形態ではスイッチ部８から入力されるコマンドに基づき記録メディア３およびカメラ部５の動作制御を行っている。
【００２３】
５は記録再生装置１に設けられ被写体像などの撮像する撮像手段であるカメラ部で、レンズや固体撮像素子（ＣＣＤ）などのように被写体を光学信号として撮像し、電気信号に変換してメインコントローラ４に出力する構成となっている。
【００２４】
８はコマンド受信器２かカメラコントロールコマンド変換器９のうちいずれかのコマンド通信路を切り換えるための切換手段である選択手段であるスイッチ部で、後述するスイッチ制御部１０からの切換制御により切り換えられる。
【００２５】
１０はコマンド受信部２からの通知を受け、スイッチ部８を切換制御するスイッチ制御手段であるコマンド通信路切換スイッチ制御部を示す。
【００２６】
９はホストコンピュータ６からのカメラ機能を制御するコマンドを、本装置内で処理が可能である制御信号（例えばＩＥＥＥ１３９４標準規格において定められたＡＶ／Ｃコマンド）に変換するの変換を行う変換手段であるカメラコマンド変換器である。
【００２７】
以上のように構成された本実施の形態の記録再生装置について、以下その動作について説明する。
【００２８】
ホストコンピュータ６と記録再生装置１とを通信させる場合は、ホストコンピュータ６と記録再生装置１とが通信可能なプロトコルに準拠した通信路７で接続する必要がある。例えば、ＵＳＢによる通信を行う場合は、ＵＳＢケーブルの一端をホストコンピュータ６のＵＳＢ端子に接続し、他端を記録再生装置１のＵＳＢ端子に接続する。そしてホストコンピュータ６と記録再生装置１とが通信路７を介して通信可能な状態にした後、ホストコンピュータ６を操作することにより、記録再生装置１を所定の動作制御を行うことができる。
【００２９】
ホストコンピュータ６側で行う操作としては、ホストコンピュータ６に予めインストールされた所定の動作制御ソフトウェアを起動し、モニタなどの表示手段を見ながらキーボードやマウスなどの入力手段を操作することで、使用者所望の操作を行うことができる。例えば、使用者がホストコンピュータ６を操作して、記録再生装置１側の記録メディア３の動作（再生やＦＦ／ＲＥＷなど）を行うことができる。
【００３０】
以下、通信制御について具体的に説明する。
【００３１】
通信路７で確立された通信プロトコルに準拠した記録再生装置１に対して、ホストコンピュータ６から発行されるコントロールコマンドを、コマンド受信部２が受信しそのコマンドの解析を行う。その解析の結果（コマンド受信部２から命令が「記録メディアの制御命令」であるか、「カメラの制御命令」であるか）をスイッチ制御部１０に出力する。
【００３２】
スイッチ制御部１０は、コマンド受信部２から命令が「記録メディアの制御命令」であるか、「カメラの制御命令」であるかの通知を受け、スイッチ部８の切換制御を行う。それによって、コマンド受信部２で解析されたカメラ制御命令内容がメインコントローラ４に格納されて詳細に解釈され、記録メディア３に格納された映像データの再生などの操作制御や、カメラ部５の動作制御を行うというものである。
【００３３】
ホストコンピュータ６から記録再生装置１のカメラ機能のコントロールコマンドが発行された場合、コマンド受信器２から、カメラコントロールコマンド変換器９にコマンドが転送され、ＡＶ／Ｃコマンドへの変換を行う。一方で、コマンド受信器２における解析結果がスイッチ制御部１０に入力され、スイッチ制御部１０はコマンド受信部２からの通知を受け、スイッチ部８をｂ側（カメラコントロールコマンド変換器９からの出力側）に接点を変更することにより、メインコントローラ４へのカメラ制御命令の転送を可能とする。メインコントローラ４は入力されるコマンドに基づきカメラ部５の動作制御を行う。
【００３４】
一方、コマンド受信器２で受信したコマンドが、記録メディアの制御命令であった場合は、スイッチ制御部１０はスイッチ部８をａ側に接続するよう制御し、コマンド受信器２からのコマンドをメインコントローラ４に入力する。メインコントローラ４は入力されるコマンドに基づき、記録メディア３の動作制御（再生動作やＦＦ／ＲＥＷなど）を行うことができる。
【００３５】
次に、カメラ機能のコントロールについて、具体例を挙げて説明する。
【００３６】
例として、通信路７がＵＳＢであり、ＵＳＢのサブクラスと呼ばれる規格として定められたＭｏｔｉｏｎ−ＪＰＥＧやＤＶといった映像ストリームデータの通信や、そのストリームデータの通信制御や、記録メディア３の再生および、カメラ機能の制御コマンドの発行が行うことが可能なＵＳＢ通信プロトコルであるＵＳＢ  Ｖｉｄｅｏ  Ｃｌａｓｓ（以下、ＵＶＣとする）に準拠した記録再生装置１がホストコンピュータ６からズームコントロールコマンドを受信した場合の動作について説明を行う。
【００３７】
ＵＳＢ受信器２において、ＵＳＢ標準ズームコントロールコマンドを受信し、このコマンドをカメラコントロールコマンド変換器９によって、ＵＳＢ標準ズームコントロールをＡＶ／Ｃコマンドプロトコルに変換する。さらに、ＵＳＢ受信部２から「カメラコントロールである」との通知を受けたスイッチ制御部１０が、カメラコントロールコマンド変換器９において変換されたズーム制御命令を、スイッチ部８の接点をｂ側に変更することにより、メインコントローラ４にズーム制御命令を入力することができる。そしてメインコントローラ４は、カメラ部５に対してズーム動作を行うよう命令を行い、カメラ部５はズームレンズ（図示せず）を動作させてズーム動作を行うものである。
【００３８】
２つ目の例として、通信路１７が無線であった場合、その無線通信プロトコルに準拠した記録再生装置１１がホストコンピュータ１６からアイリスコントロールコマンドを受信した場合の動作について図２を用いて説明を行う。図２における各構成については前述の図１の構成とほぼ同じであるが、ホストコンピュータ１６と無線コマンド受信器１２とが異なる。ホストコンピュータ１６には無線通信が可能な装置が搭載または接続されている。また無線コマンド受信器１２はホストコンピュータ１６からの無線信号を受信し、解析することができる。
【００３９】
無線コマンド受信器１２において、アイリスコントロールコマンドを受信し、このコマンドを変換器９によって、アイリスコントロールをＡＶ／Ｃコマンドプロトコルに変換する。さらに、無線コマンド受信部１２から「カメラコントロールである」との通知を受けたスイッチ制御部２０が、変換器１９において変換されたアイリス制御命令をスイッチ部１８の接点をｂ側に変更することにより、メインコントローラ１４にアイリス制御命令を受け取ったことを通知する。メインコントローラ１４は、カメラ部１５に対してアイリス設定を行うよう命令を行い、カメラ部１５はアイリス設定を行うものである。以上の説明は、記録再生装置で行ったが、カメラ機能を搭載するその他の装置においても、これを制限するものではない。
【００４０】
以上のように本実施の形態によれば、ホストコンピュータ６からのカメラコントロールコマンドを受信し、それに応じたカメラ制御を行うようにカメラコントロールコマンド変換部９を設けたことにより、ホストコンピュータ６から、記録再生装置１の記録メディア３の動作制御とともに、カメラ部５におけるズーム動作やアイリス制御などの各種カメラ制御を行うことができる。これにより、操作性の向上を図ることができる。
【００４１】
また、ホストコンピュータ６からの制御信号を、記録再生装置１内にて動作・処理可能な制御に変換する変換器９を追加するだけで実現できるので、大幅コストアップなしに実現することができる。
【産業上の利用可能性】
【００４２】
本発明は、カメラなどの撮像手段と記録手段とを備えた記録再生装置と、パーソナルコンピュータなどのホストコンピュータとの間で通信可能なものに適用して有用なものである。記録再生装置としては、デジタルスチルカメラやデジタルビデオカメラなどがある。
【図面の簡単な説明】
【００４３】
【図１】本発明の実施の形態１における記録再生装置の構成を示すブロック図
【図２】同実施の形態における無線プロトコルを用いたホストコンピュータからの記録再生装置の制御実施例を示すブロック図
【図３】従来の記録再生装置の構成を示すブロック図
【符号の説明】
【００４４】
１    記録再生装置全体
２    コマンド受信器
３    記録メディア部
４    メインコントローラ
５    カメラ部
６    ホストコンピュータ
７    ホストコンピュータとの通信路
８    コマンド通信路切換スイッチ
９    カメラコントロールコマンド変換器
１０    コマンド通信路切換スイッチ制御部
【図１】
2005260648.tif 000003
【図２】
2005260648.tif 000004
【図３】
2005260648.tif 000005